(57)【要約】      （修正有）【課題】プランジャの移動に伴って変化するハウジング内の空気圧の影響を抑えてプランジャがスムースに移動可能なソレノイド装置を提供する。【解決手段】ソレノイド装置１０は、ヨーク２１とコア１７と軸部１１とボビン２５とコイル２９とプランジャ１３と蓋体３３とハウジング３０を有する。ハウジング３０はハウジング本体部３１を有し、リア側に開口する第１開口部３１ａと、リア側の内壁３１ｂに径方向外側で円筒状に広がる第１内壁部３１ｃを有する。第１内壁部３１ｃは、軸方向他方側端に第１段部３１ｅを有する。ヨーク２１の第１円筒部２１ａはリア側に第１フランジ部２１ｂを有する。第１フランジ部２１ｂは、軸方向に貫通する孔部２１ｊを有する。蓋体３３の内面３３ｆと、プランジャ１３及びヨーク２１との間には、プランジャ１３の退避位置Ｐｂへの移動時に第２貫通孔１３ｄと孔部２１ｊを連通する第２空間部３６が設けられる。【選択図】図２
2020004848.tif 000002
【特許請求の範囲】
【請求項１】
コイルの励磁により発生する磁力で軸部を軸方向に移動させるソレノイド装置であって、
軸方向に延びる第１円筒部を有するヨークと、
前記ヨークに対して軸方向他方側に位置し、軸方向に延びる第２円筒部を有するコアと、
前記第２円筒部内を軸方向に移動する前記軸部と、
前記第１円筒部及び前記第２円筒部の径方向外側に配置されたボビンと、
前記ボビンに巻かれた前記コイルと、
前記第１円筒部内を軸方向に移動するプランジャと、
前記ヨーク及び前記プランジャに対して軸方向一方側に位置する蓋体と、
前記軸部、前記ヨーク、前記コア、前記ボビン、前記コイル、前記プランジャ及び前記蓋体を収容するハウジングと、
を有し、
前記ハウジングは、筒状のハウジング本体部を有し、
前記ハウジング本体部は、
軸方向一方側端部に開口する第１開口部と、
前記第１開口部に隣接して前記ハウジング本体部の軸方向一方側の内壁に、径方向外側で軸方向に円筒状に広がる第１内壁部と、
を有し、
前記第１内壁部は、軸方向他方側端に径方向に延びる円環状の第１段部を有し、
前記ヨークの前記第１円筒部は、前記第１円筒部の軸方向一方側に径方向外側に突出する環状の第１フランジ部を有し、
前記蓋体は、円板状であり、径方向外側に延びる環状の周縁部を有し、
前記第１フランジ部の第１の軸方向他方側端面が前記ハウジング本体部の前記第１段部に接触し、且つ前記蓋体の前記周縁部の軸方向他方側の面が前記第１フランジ部の第１の軸方向一方側端面に接触した状態で、前記ヨーク及び前記蓋体が前記ハウジングに固定され、
前記コアの前記第２円筒部は、軸方向一方側に開口して軸方向他方側へ窪み、移動する前記プランジャを挿脱可能な第１空間部を有し、
前記プランジャは、軸方向に沿って貫通する第２貫通孔を有し、
前記第２貫通孔は、軸方向視において、前記第２貫通孔の軸方向他方側に開口する第３開口部が前記軸部よりも径方向外側に位置し、
前記ヨークの前記第１フランジ部は、少なくとも軸方向一方側が開口して軸方向他方側へ延びる孔部を有し、
前記蓋体の軸方向他方側の内面と、前記プランジャ及び前記ヨークとの間には、前記プランジャが前記蓋体に接触する退避位置に移動した状態で、前記第２貫通孔と前記孔部とを連通する第２空間部が設けられる、
ソレノイド装置。
【請求項２】
前記プランジャが前記退避位置に移動しているときの前記第２空間部の容積は、前記第１空間部の容積に比べて、同一又は大きい
請求項１に記載のソレノイド装置。
【請求項３】
前記孔部は、前記第１フランジ部を軸方向に貫通する
請求項１に記載のソレノイド装置。
【請求項４】
前記孔部の軸方向他方側に開口する第５開口部は、前記ボビンの軸方向一方側の端面に接触して塞がれる
請求項３に記載のソレノイド装置。
【請求項５】
前記蓋体は、
前記プランジャの軸方向一方側のプランジャ端面に対向して配置される蓋体本体部と、
前記蓋体本体部の径方向外側端部から軸方向他方側へ進むに従って径方向外側へ延びる環状の傾斜部と、
前記傾斜部の径方向外側端部から径方向外側に突出する環状の前記周縁部と、
を有し、
前記蓋体の前記周縁部は、前記孔部の軸方向一方側に開口する第６開口部よりも径方向外側に延びる前記第１フランジ部の前記第１の軸方向一方側端面に接触する
請求項１に記載のソレノイド装置。
【請求項６】
前記ヨークは、前記ヨークの軸方向一方側のヨーク端面において、前記孔部の前記第６開口部よりも径方向内側の位置に軸方向一方側へ突出する突起部を有し、
前記突起部は、前記突起部の軸方向一方側端部が前記蓋体の軸方向他方側の前記内面に隙間を有して位置する
請求項５に記載のソレノイド装置。
【請求項７】
前記蓋体本体部は、前記蓋体本体部の径方向内側に前記プランジャ側に突出する突出部を有する
請求項６に記載のソレノイド装置。
【請求項８】
前記突出部は、前記プランジャが前記退避位置に移動した状態で前記プランジャの軸方向一方側の前記プランジャ端面に接触する
請求項７に記載のソレノイド装置。
【請求項９】
前記突出部は、軸方向視において、前記第２貫通孔の軸方向一方側に開口する第４開口部と交差しない位置に配置される
請求項８に記載のソレノイド装置。
【請求項１０】
前記第２空間部は、前記プランジャが前記退避位置に移動した状態で、前記蓋体の軸方向他方側の内面と、前記ヨークの軸方向一方側の前記ヨーク端面と、前記プランジャの軸方向一方側の前記プランジャ端面とで囲まれる領域から、前記突起部及び前記突出部を除いた領域である
請求項７から９のいずれか１項に記載のソレノイド装置。
【請求項１１】
前記蓋体は、非磁性材料製である
請求項１から１０のいずれか１項に記載のソレノイド装置。
【発明の詳細な説明】
【技術分野】
【０００１】
本発明は、ソレノイド装置に関する。
【背景技術】
【０００２】
ソレノイド装置の一例として、軸部を有するソレノイドにスプールバルブを設けたソレノイドバルブが知られている。特許文献１に記載されたソレノイドバルブのソレノイドは、軸方向に延びる円筒状のヨークと、ヨークに対して軸方向他方側に位置し、軸方向に延びる円筒状のコアと、コア内を軸方向に移動する軸部と、ヨーク及びコアの径方向外側に配置されたボビンと、ボビンに巻かれたコイルと、ヨーク内を軸方向に移動するプランジャと、これらを収容するハウジングと、を有する。
【０００３】
プランジャは、軸方向に貫通する第１貫通孔を有する。ハウジング内には、プランジャが軸方向一方側へ移動すると、プランジャとコアとの間に第１空間が生じ、プランジャが軸方向他方側へ移動すると、プランジャとカバー板との間に第２空間が生じる。第１貫通孔は、プランジャの軸方向一方側への移動時に、第１空間内の空気を第１貫通孔を介して第２空間に流す。また、第１貫通孔は、プランジャの軸方向他方側への移動時に、第２空間内の空気を第１貫通孔を介して第１空間に流す。このため、プランジャの軸方向の移動に伴って第１空間及び第２空間の夫々の容積が変化しても、第１空間及び第２空間の空気の圧力変化が抑制されて、プランジャの移動がスムースになる。
【先行技術文献】
【特許文献】
【０００４】
【特許文献１】特開２０１７−１６６５７０号公報
【発明の概要】
【発明が解決しようとする課題】
【０００５】
特許文献１に記載のプランジャが軸方向一方側に移動すると、第２空間は徐々に狭くなって第２空間内の空気が第１貫通孔内に流入し、プランジャの軸方向一方側端面がカバー板の内面に面接触すると、プランジャの移動が停止する。しかしながら、第１貫通孔は、中心軸に対して径方向一方側にずれた位置にあるため、第１貫通孔のカバー板側に開口する開口部から離れた側の第２空間内の空気は第１貫通孔に流入し難くなる虞がある。したがって、第２空間内の空気はプランジャの軸方向一方側への移動に伴って圧縮されて空気圧が増大する。したがって、増大した空気圧によってプランジャの軸方向一方側への移動がスムースでなくなる虞が生じる。
【０００６】
本発明の目的は、プランジャの軸方向への移動に伴って変化するハウジング内の空気圧の影響を抑えてプランジャのスムースな移動が可能なソレノイド装置を提供することである。
【課題を解決するための手段】
【０００７】
本願の例示的な第１発明は、コイルの励磁により発生する磁力で軸部を軸方向に移動させるソレノイド装置であって、軸方向に延びる第１円筒部を有するヨークと、前記ヨークに対して軸方向他方側に位置し、軸方向に延びる第２円筒部を有するコアと、前記第２円筒部内を軸方向に移動する前記軸部と、前記第１円筒部及び前記第２円筒部の径方向外側に配置されたボビンと、前記ボビンに巻かれた前記コイルと、前記第１円筒部内を軸方向に移動するプランジャと、前記ヨーク及び前記プランジャに対して軸方向他方側に位置する蓋体と、前記軸部、前記ヨーク、前記コア、前記ボビン、前記コイル、前記プランジャ及び前記蓋体を収容するハウジングと、を有し、前記ハウジングは、筒状のハウジング本体部を有し、前記ハウジング本体部は、軸方向一方側端部に開口する第１開口部と、前記第１開口部に隣接して前記ハウジング本体部の軸方向一方側の内壁に、径方向外側で軸方向に円筒状に広がる第１内壁部と、を有し、前記第１内壁部は、軸方向他方側端に径方向に延びる円環状の第１段部を有し、前記ヨークの前記第１円筒部は、前記第１円筒部の軸方向一方側に径方向外側に突出する環状の第１フランジ部を有し、前記蓋体は、円板状であり、径方向外側に延びる環状の周縁部を有し、前記第１フランジ部の第１の軸方向他方側端面が前記ハウジング本体部の前記第１段部に接触し、且つ前記蓋体の前記周縁部の軸方向他方側の面が前記第1フランジ部の軸方向一方側端面に接触した状態で、前記ヨーク及び前記蓋体が前記ハウジングに固定され、前記コアの前記第２円筒部は、軸方向一方側に開口して軸方向他方側へ窪み、移動する前記プランジャを挿脱可能な第１空間部を有し、前記プランジャは、軸方向に沿って貫通する第１貫通孔を有し、前記第１貫通孔は、軸方向視において、前記第１貫通孔の軸方向他方側に開口する第３開口部が前記軸部よりも径方向外側に位置し、前記ヨークの前記第１フランジ部は、少なくとも軸方向一方側が開口して軸方向他方側へ延びる孔部を有し、前記蓋体の軸方向他方側の内面と、前記プランジャ及び前記ヨークとの間には、前記プランジャが前記蓋体に接触する退避位置に移動した状態で、前記第１貫通孔と前記孔部とを連通する第２空間部が設けられる、ソレノイド装置である。
【発明の効果】
【０００８】
本願の例示的な第１発明によれば、プランジャの軸方向への移動に伴って変化するハウジング内の空気圧の影響を抑えてプランジャのスムースな移動が可能なソレノイド装置を提供することができる。
【図面の簡単な説明】
【０００９】
【図１】第１実施形態に係るソレノイド装置の断面図である。
【図２】ソレノイドの断面図である。
【図３】ヨークの平面図である。
【図４】ソレノイドの部分拡大図である。
【発明を実施するための形態】
【００１０】
以下、図面を参照しながら、本発明の実施形態に係るソレノイド装置について説明する。本実施形態では、調圧されたオイルを出力するスプールバルブをソレノイドに設けたソレノイド装置について説明する。また、以下の図面においては、各構成をわかり易くするために、実際の構造と各構造における縮尺及び数等を異ならせる場合がある。
【００１１】
また、図面においては、適宜３次元直交座標系としてＸＹＺ座標系を示す。ＸＹＺ座標系において、Ｚ軸方向は、図１に示す中心軸Ｊの軸方向と平行な方向とする。Ｘ軸方向は、図１に示すソレノイド装置の短手方向と平行な方向とする。Ｙ軸方向は、Ｘ軸方向とＺ軸方向との両方と直交する方向とする。
【００１２】
また、以下の説明においては、Ｚ軸方向の正の側（＋Ｚ側）を「リア側」と記し、Ｚ軸方向の負の側（−Ｚ側）を「フロント側」と記述する。なお、リア側及びフロント側とは、単に説明のために用いられる名称であって、実際の位置関係や方向を限定しない。また、特に断りのない限り、中心軸Ｊに平行な方向（Ｚ軸方向）を単に「軸方向」と記述し、中心軸Ｊを中心とする径方向を単に「径方向」と記述し、中心軸Ｊを中心とする周方向、すなわち、中心軸Ｊの軸周り（θ方向）を単に「周方向」と記述する。
【００１３】
なお、本明細書において、軸方向に延びる、とは、厳密に軸方向（Ｚ軸方向）に延びる場合に加えて、軸方向に対して、４５°未満の範囲で傾いた方向に延びる場合も含む。また、本明細書において、径方向に延びる、とは、厳密に径方向、すなわち、軸方向（Ｚ軸方向）に対して垂直な方向に延びる場合に加えて、径方向に対して、４５°未満の範囲で傾いた方向に延びる場合も含む。
【００１４】
[第１実施形態]
＜全体構成＞
図１は、第１実施形態に係るソレノイド装置の断面図である。本実施形態のソレノイド装置１は、図１に示すように、ソレノイド１０と、スプールバルブ５０と、を有する。ソレノイド１０とスプールバルブ５０は、軸方向に沿って配置される。ソレノイド１０は、コイル２９の励磁により発生する磁力で軸部１１を軸方向に移動する。スプールバルブ５０は、ソレノイド１０の軸方向他方側（フロント側）に位置し、軸部１１の移動とともに軸方向に移動可能なスプール弁５２を有する。スプール弁５２は、バルブボディ５１内に移動可能に収容される。以下、構成部材毎に詳細に説明する。なお、コイル２９に電流が流れて磁束が発生することを、「コイル２９の励磁」とする。
【００１５】
＜ソレノイド１０＞
図２は、ソレノイドの断面図である。ソレノイド１０は、図１及び図２に示すように、ヨーク２１と、コア１７と、軸部１１と、ボビン２５と、コイル２９と、プランジャ１３、蓋体３３、ハウジング３０と、を有する。
【００１６】
（ハウジング３０）
ハウジング３０は、磁性材料製であり、軸部１１、ヨーク２１、コア１７、ボビン２５、コイル２９、プランジャ１３及び蓋体３３を収容する。ハウジング３０は、筒状のハウジング本体部３１を有する。本実施形態では、ハウジング本体部３１は円筒状である。ハウジング本体部３１は、第１開口部３１ａと、第１内壁部３１ｃと、第１カシメ部３１ｄと、を有する。第１開口部３１ａは、軸方向一方側端部に開口する。第１内壁部３１ｃは、第１開口部３１ａに隣接してハウジング本体部３１の軸方向一方側の内壁３１ｂに、径方向外側で軸方向に円筒状に広がる。第１カシメ部３１ｄは、第１内壁部３１ｃの軸方向一方側端から軸方向一方側へ延びる。第１内壁部３１ｃは、軸方向他方側端に径方向に延びる円環状の第１段部３１ｅを有する。
【００１７】
本実施形態では、第１内壁部３１ｃの内面と第１カシメ部３１ｄの内面は同一面上にある。また、第１カシメ部３１ｄの径方向の厚さは、ハウジング本体部３１の内壁３１ｂの径方向の厚さよりも薄い。第１段部３１ｅは、軸方向一方側へ向いて、軸方向に対して直交する方向に延びる。この第１段部３１ｅに、ヨーク２１の第１フランジ部２１ｂの第１の軸方向他方側端面２１ｄ１が接触する。
【００１８】
第１カシメ部３１ｄの軸方向先端部の径方向内側には、第１開口部３１ａが開口する。第１開口部３１ａは、軸方向視において円形状である。この第１開口部３１ａよりもフロント側に蓋体３３が挿入される。蓋体３３の周縁部３３ｃは、第１フランジ部２１ｂの第１の軸方向一方側端面２１ｄ２に接触する。
【００１９】
ハウジング本体部３１は、軸方向他方側のハウジング本体部３１の内壁３１ｂに径方向外側で軸方向に円筒状に広がる第２内壁部３１ｆを有する。第２内壁部３１ｆは、軸方向一方側端に径方向へ延びる円環状の第２段部３１ｊを有する。第２内壁部３１ｆの内径は、ハウジング本体部３１の内壁３１ｂの内径よりも大きい。このため、第２内壁部３１ｆの径方向厚さは、ハウジング本体部３１の内壁３１ｂの径方向厚さよりも薄い。
【００２０】
ハウジング本体部３１は、第２内壁部３１ｆのフロント側の端部からフロント側へ延びる第２カシメ部３１ｈを有する。第２カシメ部３１ｈの径方向の厚さは、第２内壁３１ｆの径方向の厚さと同じである。なお、第２カシメ部３１ｈによってスプールバルブ５０のバルブボディ５１がハウジング３０に固定される。
【００２１】
ハウジング本体部３１のフロント側のＸ軸方向プラス側端部には、ターミナル切欠き部３１ｉが設けられる。コイル２９に電気的に接続されたターミナル３８を保持するターミナル本体部３７は、ターミナル切欠き部３１ｉの径方向内側から外側へ向かって突出する。ターミナル本体部３７とコイル２９が巻かれたボビン２５とは、一体成型品である。
【００２２】
（ヨーク２１）
ヨーク２１は、ハウジング本体部３１内のリア側に位置し、軸方向に延びる第１円筒部２１ａを有する。本実施形態では、第１円筒部２１ａは、軸方向に貫通する第１貫通孔２１ｈを有する。第１貫通孔２１ｈ内にプランジャ１３が挿入される。
【００２３】
第１円筒部２１ａの軸方向一方側には、径方向外側に突出する環状の第１フランジ部２１ｂが設けられる。第１フランジ部２１ｂの外径は、ハウジング本体部３１の内壁３１ｂの内径よりも大きく、且つ第１内壁部３１ｃの内径よりも僅かに小さい。このため、第１フランジ部２１ｂは、第１内壁部３１ｃに容易に挿入可能である。また、第１フランジ部２１ｂは、第１フランジ部２１ｂの第１の軸方向他方側端面２１ｄ１が第１段部３１ｅに接触する。
【００２４】
本実施形態では、第１フランジ部２１ｂは円環状であり、第１フランジ部２１ｂの軸方向厚さは、ハウジング本体部３１の内壁３１ｂの肉厚と同程度の厚さ有する。このため、第１フランジ部２１ｂの第１周端部２１ｃは、第１内壁部３１ｃの内面に沿って配置される。よって、ヨーク２１を中心軸Ｊに沿った姿勢で配置することができる。
【００２５】
第１フランジ部２１ｂは、第１フランジ部２１ｂの第１の軸方向他方側端面２１ｄ１が第１段部３１ｅに接触する。また、第１フランジ部２１ｂの第１の軸方向他方側端面２１ｄ１とボビン２５の軸方向他方側の端面２５ｃは、同一平面上に位置する。
【００２６】
図３は、ヨーク２１の平面図である。図４は、ソレノイド１０の部分拡大図である。ヨーク２１の第１フランジ部２１ｂは、図３及び図４に示すように、少なくとも軸方向一方側が開口して軸方向他方側へ延びる孔部２１ｊを有する。本実施形態では、孔部２１ｊは、第１フランジ部２１ｂを貫通する。孔部２１ｊは、第１フランジ部２１ｂの径方向内側に配置されるとともに、中心軸Ｊに対して対称な位置に２か所配置される。孔部２１ｊの軸方向他方側に開口する第５開口部２１ｊ２は、ボビン２５の軸方向一方側の端面２５ｃに接触して塞がれる。
【００２７】
ヨーク２１は、ヨーク２１の軸方向一方側のヨーク端面２１ｍにおいて、孔部２１ｊの軸方向一方側に開口する第６開口部２１ｊ１よりも径方向内側の位置に軸方向一方側へ突出する突起部２１ｋを有する。突起部２１ｋは、突起部２１ｋの軸方向一方側端部が蓋体３３の軸方向他方側の内面３３ｆに隙間３５を有して位置する。
【００２８】
第１円筒部２１ａの軸方向長さは、図２に示すように、プランジャ１３の軸方向長さと同程度の長さを有する。第１円筒部２１ａの第１貫通孔２１ｈの内径は、プランジャ１３の外径よりも僅かに大きい。このため、第１円筒部２１ａは、プランジャ１３を支持するすべり軸受として機能するとともに、プランジャ１３の軸方向への移動を可能にする。
【００２９】
第１円筒部２１ａの軸方向他方側（フロント側）の壁部２１ｅの端部は、軸方向他方側へ進むに従って径方向内側へ斜めに傾斜する傾斜面部２１ｆを有する。また、第１円筒部２１ａの軸方向他方側の壁部２１ｅの径方向外側面には、径方向内側へ窪む第１嵌合部２１ｇが設けられる。この第１嵌合部２１ｇには、後述するカラー４１が装着される。
【００３０】
ヨーク２１の第１円筒部２１ａと第１フランジ部２１ｂとは、一体的になる。即ち、第１円筒部２１ａと第１フランジ部２１ｂとは、単一部材からなる。このヨーク２１は、型成型又は切削加工で得られる。なお、ヨーク２１は、第１円筒部２１ａと第１フランジ部２１ｂとが別体であってもよい。
【００３１】
（プランジャ１３）
プランジャ１３は、第１円筒部２１ａ内を軸方向に移動する。本実施形態では、プランジャ１３は、磁性材料製であり、円柱状である。プランジャ１３の外径は、第１円筒部２１ａの第１貫通孔２１ｈの内径よりも僅かに小さい。
【００３２】
プランジャ１３は、軸方向に貫通する第２貫通孔１３ａを有する。本実施形態では、第２貫通孔１３ａは、フロント側がプランジャ１３のフロント側のプランジャ端面１３ｂに開口し、リア側がプランジャ１３のリア側のプランジャ端面１３ｃに開口する。第２貫通孔１３ａは、軸方向視において、軸部１１よりも径方向外側に位置する。
【００３３】
（コア１７）
コア１７は、ヨーク２１に対して軸方向他方側（フロント側）に位置し、軸方向に延びる第２円筒部１７ａを有する。第２円筒部１７ａは、軸方向に延びて軸部１１が挿入される第３貫通孔１７ｆを有する。本実施形態では、コア１７は、磁性材料製であり、ハウジング３０のフロント側に配置されてハウジング３０内に固定される。コア１７は、カラー４１を介してヨーク２１に結合されるとともに、ボビン２５の内面に接触した状態でハウジング３０に固定される。コア１７の第２円筒部１７ａのフロント側には、径方向に突出する環状の第２フランジ部１７ｂが設けられる。第２フランジ部１７ｂの外径は、第２内壁部３１ｆの内径よりも僅かに小さい。
【００３４】
第２フランジ部１７ｂの径方向の第２周端部１７ｃは、第２内壁部３１ｆに接触する。さらに、第２フランジ部１７ｂの第２の軸方向一方側端面１７ｎは、第２段部３１ｊに接触する。このため、コア１７は、ハウジング３０に対して軸方向一方側（リア側）に位置決めされる。
【００３５】
第２円筒部１７ａのリア側には、リア側が開口してフロント側へ窪む第１空間部１７ｄが設けられる。本実施形態では、第１空間部１７ｄは、中心軸Ｊに対して同軸上に設けられて、軸方向視において円形状である。第１空間部１７ｄの内径はプランジャ１３の外径よりも僅かに大きい。このため、プランジャ１３は第１空間部１７ｄ内に軸方向に移動可能である。
【００３６】
第１空間部１７ｄには、第１空間部１７ｄのフロント側端部からフロント側へ延びる延長空間部１７ｅが設けられる。延長空間部１７ｅは、リア側が開口してフロント側へ延びる。延長空間部１７ｅの内径は第１空間部１７ｄの内径よりも小さい。延長空間部１７ｅのフロント側の底面には軸部１１が通る第３貫通孔１７ｆのリア側の開口部１７ｇが開口する。延長空間部１７ｅは、第１空間部１７ｄ内に移動するプランジャ１３によって第１空間部１７ｄ内の空気を圧縮したときの圧力変化を抑制する。
【００３７】
第３貫通孔１７ｆは、リア側が延長空間部１７ｅに連通し、フロント側が第２円筒部１７ａのフロント側の端面１７ｈに開口する。第３貫通孔１７ｆに軸部１１が移動自在に通される。第３貫通孔１７ｆは、軸部１１を支持するすべり軸受として機能するとともに、軸部１１の軸方向への移動を可能にする。
【００３８】
ヨーク２１の軸方向他方側のヨーク外周面及びコア１７の軸方向一方側のコア外周面には、筒状のカラー４１が挿入される。ヨーク２１及びコア１７は、隙間２３を有してカラー４１を介して結合される。本実施形態では、コア１７の第２円筒部１７ａのリア側には、第２円筒部１７ａのフロント側よりも小径で円筒状の第２嵌合部１７ｉが設けられる。
【００３９】
第２嵌合部１７ｉにはカラー４１のフロント側が嵌合される。カラー４１のリア側はヨーク２１の第１嵌合部２１ｇに嵌合される。このため、ヨーク２１とコア１７はカラー４１を介して結合される。カラー４１の肉厚は、ヨーク２１の第１円筒部２１ａの肉厚よりも薄い。本実施形態では、カラー４１の径方向の厚さは、ヨーク２１の第１円筒部２１ａの径方向の厚さよりも薄い。このため、磁力線が通る通路を拡大することができる。カラー４１は、非磁性材料製である。
【００４０】
第２円筒部１７ａの第１空間部１７ｄの径方向外側には、リア側へ延びる円筒状の薄肉部１７ｊが設けられ。薄肉部１７ｊは、軸方向一方側へ進むに従って径方向内側に傾く傾斜面部１７ｋを有する。傾斜面部１７ｋを有した薄肉部１７ｊは、コイル２９の通電時に、薄肉部１７ｊからプランジャ１３側に延びる磁力線を集中させて、プランジャ１３をフロント側へ引っ張る力を増大する。
【００４１】
（軸部１１）
軸部１１は、図２に示すように、第２円筒部１７ａ内を軸方向に移動する。本実施形態では、軸部１１は、非磁性の金属材料製であり、軸部１１の外径は第３貫通孔１７ｆの内径よりも僅かに小さい。軸部１１のリア側の端部は第１空間部１７ｄ内に突出し、軸部１１のフロント側の端部はコア１７のフロント側の端面１７ｈから突出する。軸部１１のリア側には止め輪１２が装着される。
【００４２】
プランジャ１３が軸部１１をフロント側に移動させる際に、プランジャ１３のフロント側のプランジャ端面１３ｂが第１空間部１７ｄの底面に接触する前に止め輪１２が延長空間部１７ｅの底面に接触する位置に配置される。このため、軸部１１がフロント側へ移動する際に、プランジャ１３が第１空間部１７ｄの底面に当接する虞を防止することができる。
【００４３】
（ボビン２５）
ボビン２５は、円筒状であり、第１円筒部２１ａ及び第２円筒部１７ａの径方向外側に配置される。本実施形態では、ボビン２５は、樹脂製であり、第１円筒部２１ａの径方向外側の側面２１ｉと、第２円筒部１７ａの径方向外側の側面１７ｍを覆う。ボビン２５は、円筒部２５ａと、円筒部２５ａの軸方向両側に設けられて径方向外側へ突出する第３フランジ部２５ｂと、を有する。円筒部２５ａにコイル２９が巻かれる。
【００４４】
Ｘ軸方向プラス側の第３フランジ部２５ｂは、径方向外側へ延びてターミナル本体部３７に繋がる。コイル２９が巻かれたボビン２５は、ターミナル本体部３７とともに樹脂によって一体成型される。
【００４５】
（コイル２９）
コイル２９は、ボビン２５に巻かれる。本実施形態では、コイル２９は、ボビン２５の円筒部２５ａの径方向外側の外周面に沿って周方向に巻かれる。コイル２９の両端部はターミナル本体部３７に設けられたターミナル３８に電気的に接続される。
【００４６】
（蓋体３３）
蓋体３３は、図２に示すように、非磁性材料製あり、ヨーク２１及びプランジャ１３に対して軸方向一方側（リア側）に位置する。蓋体３３は、円板状であり、蓋体３３の外径はハウジング本体部３１の内壁３１ｂの内径よりも大きく、且つ第１内壁部３１ｃの内径よりも僅かに小さい。また、蓋体３３は、第１カシメ部３１ｄが径方向内側に折れ曲がって蓋体３３の周縁部３３ｃに接触している事により、周縁部３３ｃが第１フランジ部２１ｂの第１の軸方向一方側端面２１ｄ２に接触した状態でハウジング３０に固定される。
【００４７】
本実施形態では、蓋体３３は、図２及び図４に示すように、プランジャ１３の軸方向一方側のプランジャ端面１３ｃに対向して配置される蓋体本体部３３ａと、蓋体本体部３３ａの径方向外側端部から軸方向他方側へ進むに従って径方向外側へ延びる環状の傾斜部３３ｂと、傾斜部３３ｂの径方向外側端部から径方向外側に突出する環状の周縁部３３ｃと、を有する。蓋体３３は、ハウジング３０に固定された状態で第１開口部３１ａを塞ぐ。
【００４８】
蓋体３３の周縁部３３ｃは、孔部２１ｊの軸方向一方側に開口する第６開口部２１ｊ１よりも径方向外側に延びる第１フランジ部２１ｂの第１の軸方向一方側端面２１ｄ２に接触する。このため、周縁部３３ｃによって第６開口部２１ｊ１が塞がれることはない。
【００４９】
蓋体本体部３３ａは、蓋体本体部３３ａの径方向内側にプランジャ１３側に突出する突出部３３ｅを有する。突出部３３ｅは、プランジャ１３が退避位置Ｐｂに移動した状態でプランジャ１３の軸方向一方側のプランジャ端面１３ｃに接触する。突出部３３ｅは、軸方向視において、第２貫通孔１３ａの軸方向一方側に開口する第４開口部１３ｄと交差しない位置に配置される。本実施形態では、突出部３３ｅは、プランジャ１３が退避位置Ｐｂに移動した状態でプランジャ１３のリア側のプランジャ端面１３ｃの中央部に接触するとともに、第２貫通孔１３ａのリア側の第４開口部１３ｄを塞がない大きさを有する。突出部３３ｅは軸方向視において円形状である。
【００５０】
図４に示すように、蓋体３３の軸方向他方側の内面３３ｆと、プランジャ１３及びヨーク２１との間には、プランジャ１３が蓋体３３に接触する退避位置Ｐｂに移動した状態で、第２貫通孔１３ａと孔部２１ｊとを連通する第２空間部３６が設けられる。第２空間部３６は、プランジャ１３が退避位置Ｐｂに移動した状態で、蓋体３３の軸方向他方側の内面３３ｆと、ヨークの軸方向一方側のヨーク端面２１ｍと、プランジャ１３の軸方向一方側のプランジャ端面１３ｃとで囲まれる領域から、突起部２１ｋ及び突出部３３ｅを除いた領域である。また、プランジャ１３が退避位置Ｐｂに移動しているときの第２空間部３６の容積は、第１空間部１７ｄの容積と、同じ又はより大きい。ヨーク２１の突起部２１ｋは、蓋体３３の内面３３ｆに対して隙間３５を有しているので、この隙間３５により第２空間部３６の領域を拡大する。
【００５１】
＜スプールバルブ５０＞
（バルブボディ５１）
バルブボディ５１は、図１に示すように、円筒状であり、オイルを流入・流出させる複数のポート５５を有する。バルブボディ５１は、軸方向に延びてスプール弁５２が挿入されたスプール孔部５３を有する。スプール孔部５３は、バルブボディ５１を軸方向に貫通する。スプール孔部５３には、複数のポート５５が繋がる。バルブボディ５１のリア側端部には、径方向に突出するフランジ部５４が設けられる。このフランジ部５４は、ソレノイド１０のハウジング本体部３１に設けられ第２カシメ部３１ｈによって加締められてハウジング本体部３１に固定される。
【００５２】
（スプール弁５２）
スプール弁５２は、スプール孔部５３の内径よりも僅かに小さい外径を有する複数の大径部５２ａと、軸方向に隣接する大径部５２ａ同士を繋ぎ大径部５２ａよりも小径な小径部５２ｂとを有する。スプール弁５２は軸方向に移動することで大径部５２ａがポート５５を開閉する。バルブボディ５１のフロント側端部には、スプール孔部５３のフロント側の開口を塞ぐ閉塞部材５７が挿入される。閉塞部材５７とスプール弁５２のフロント側端部との間には、圧縮ばね６０が配置される。このため、スプール弁５２は、圧縮ばね６０によってリア側へ附勢される。
【００５３】
＜ソレノイド１０の組み立て方法＞
先ず、図１に示すように、ヨーク２１を、第１フランジ部２１ｂがリア側に向いた状態でハウジング本体部３１のリア側に開口する第１開口部３１ａからハウジング本体部３１内に挿入し、第１フランジ部２１ｂの第１の軸方向他方側端面２１ｄ１をハウジング本体部３１の第１段部３１ｅに接触させる。
【００５４】
ヨーク２１の挿入後、蓋体３３を、第１開口部３１ａから突出部３３ｅがフロント側へ向いた姿勢で、ハウジング本体部３１内に挿入する。蓋体３３は、周縁部３３ｃのフロント側の面３３ｄ１がヨーク２１の第１フランジ部２１ｂのリア側の第１の軸方向一方側端面２１ｄ２に接触する。蓋体３３の挿入後、第１カシメ部３１ｄを径方向内側に折り曲げて蓋体３３に周縁部３３ｃに接触させて蓋体３３をハウジング本体部３１に固定する。
【００５５】
蓋体３３の固定後、プランジャ１３をハウジング本体部３１のフロント側に開口する第２開口部３１ｎからハウジング本内部３１内に挿入し、プランジャ１３をヨーク２１の第１円筒部２１ａの第１貫通孔２１ｈに挿入する。プランジャ１３の挿入後、カラー４１を、第２開口部３１ｎからハウジング本体部３１内に挿入して、ヨーク２１の第１嵌合部２１ｇに嵌め合わせる。
【００５６】
カラー４１の挿入後、ボビン２５とターミナル本体部３７が一体成型されたアセンブリ４０を、第２開口部３１ｎからハウジング本体部３１内に挿入する。ボビン２５は、ボビン２５の外周面がハウジング本体部３１の内壁３１ｂの内面に嵌め合わされて固定される。
【００５７】
アセンブリ４０の挿入後、軸部１１が挿入されたコア１７を、第１空間部１７ｄがリア側に向いた状態で、コア１７を第２開口部３１ｎからハウジング本体部３１内に挿入し、コア１７の第２嵌合部１７ｉにヨーク２１からフロント側へ延びるカラー４１を嵌め合わせる。また、コア１７の第２フランジ部１７ｂの第２の軸方向一方側端面１７ｎをハウジング本体部３１の第２段部３１ｊに接触させて、ソレノイド１０の組み立てが終了する。
【００５８】
なお、ソレノイド１０の組み立て方法は、前述した順序に限るものではない。前述した組み立て方法では、プランジャ１３をヨーク２１内に挿入した後に、アセンブリ４０をハウジング本体部３１内に挿入したが、アセンブリ４０をハウジング本体部３１内に挿入した後にプランジャ１３をヨーク２１内に挿入してもよい。
【００５９】
＜ソレノイド装置１の作用・効果＞
次に、ソレノイド装置１の作用・効果について説明する。図１に示すように、ソレノイド装置１のソレノイド１０のコイル２９が励磁されると、コイル２９に発生する磁力によってプランジャ１３がコア１７側に吸引される。このため、プランジャ１３に接触する軸部１１がプランジャ１３とともにフロント側に移動する。なお、軸部１１の移動時には、圧縮ばね６０の付勢に抗して移動する。したがって、軸部１１に当接するスプール弁５２がフロント側へ移動する。
【００６０】
一方、ソレノイド１０のコイル２９が非励磁状態になると、プランジャ１３は、コア１７からの吸引力が無くなる。このため、圧縮ばね６０のフロント側へ向く付勢力によって、スプール弁５２はリア側へ移動する。また、スプール弁５２のリア側への移動に伴ってソレノイド１０の軸部１１及びプランジャ１３は、リア側へ移動する。
【００６１】
（１）ここで、本実施形態に係る蓋体３３の軸方向一方側の内面３３ｆと、プランジャ１３及びヨーク２１との間には、プランジャ１３が蓋体３３に接触する退避位置Ｐｂに移動した状態で、第２貫通孔１３ａと孔部２１ｊとを連通する第２空間部３６が設けられる。プランジャ１３が軸方向他方側へ移動する場合、第１空間部１７ｄ内の空気はプランジャ１３に圧縮されて第２貫通孔１３ａを介して第２空間部３６に移動する。一方、プランジャ１３が軸方向一方側（退避位置Ｐｂ側）へ移動する場合には、第２空間部３６及び孔部２１ｊ内の空気は、プランジャ１３に圧縮されて、第２貫通孔１３ａを介して第１空間部１７ｄ内に移動する。ここで、プランジャ１３が退避位置Ｐｂ側へ移動する場合、第２空間部３６内の空気は、第２貫通孔１３ａを通って第１空間部１７ｄ側へ流れるが、第２空間部３６に連通する孔部２１ｊを設けることで、第２空間部３６の領域を拡大することができる。このため、プランジャ１３が退避位置Ｐｂに移動したときの第２空間部３６内の空気圧の上昇する圧力変化を抑えることができ、プランジャ１３の移動をスムースにすることができる。
【００６２】
（２）また、プランジャ１３が退避位置Ｐｂに移動しているときの第２空間部３６の容積は、第１空間部１７ｄの容積に比べて、同一又は大きい。このため、プランジャ１３が退避位置Ｐｂ側へ向かって移動する場合、第１空間部１７ｄから第２空間部３６内に流入する空気は、第１空間部１７ｄの容積と同じ又はより大きい容積を有した第２空間部３６内に流入する。このため、プランジャ１３が退避位置Ｐｂに移動したときの第２空間部３６の空気圧の圧力変化を抑えることができる。
【００６３】
（３）また、孔部２１ｊは第１フランジ部２１ｂを軸方向に貫通する。このため、ソレノイド装置１の限られた空間内に第２空間部３６に連通する新たな空間を設けることができる．
【００６４】
（４）また、孔部２１ｊの軸方向他方側に開口する第５開口部２１ｊ２は、ボビン２５の軸方向一方側の端面２５ｃに接触して塞がれる。このため、孔部２１ｊに流入した空気が漏れ出したり、外部の空気がソレノイド装置１内に流入したりする虞を防止することができる。
【００６５】
（５）また、蓋体３３の周縁部３３ｃは、孔部２１ｊの軸方向一方側に開口する第６開口部２１ｊ１よりも径方向外側に延びる第１フランジ部２１ｂの第１の軸方向一方側端面２１ｄ２に接触する。このため、蓋体３３によって孔部２１ｊの第６開口部２１ｊ１が塞がれることはなく、第２空間部３６と孔部２１ｊの連通状態を維持できる。
【００６６】
（６）また、ヨーク２１は、ヨーク２１の軸方向一方側のヨーク端面２１ｍにおいて、孔部２１ｊの第６開口部２１ｊ１よりも径方向内側の位置に軸方向一方側へ突出する突起部２１ｋを有し、突起部２１ｋは、この軸方方向一方側端部が蓋体３３の軸方向他方側の内面３３ｆに接触する。このため、蓋体３３が変形する場合、突起部２１ｋが蓋体３３の変形を抑制するので、第６開口部２１ｊ１の周囲の空間の領域が狭くなる虞を防止することができる。このため、第２空間部３６と孔部２１ｊとの連通状態を維持することができる。
【００６７】
（７）また、蓋体本体部３３ａは、蓋体本体部３３ａの径方向内側にプランジャ１３側に突出する突出部３３ｅを有する。このため、プランジャ１３が軸方向一方側に移動する場合、プランジャ１３の軸方向一方側のプランジャ端面１３ｃが突出部３３ｅに接触して、プランジャ１３の軸方向一方側への移動を規制することができる。
【００６８】
（８）また、突出部は３３ｅ、プランジャが退避位置Ｐｂに移動した状態でプランジャ１３の軸方向一方側のプランジャ端面１３ｃに接触する。このため、プランジャ１３を退避位置Ｐｂで停止させることができる。
【００６９】
（９）また、突出部３３ｅは、軸方向視において、第２貫通孔１３ａの軸方向一方側に開口する第４開口部１３ｄと交差しない位置に配置される。このため、突出部３３ｅによって第４開口部１３ｄが塞がれる虞を防止することができる。
【００７０】
（１０）また、第２空間部３６は、プランジャ１３が退避位置Ｐｂに移動した状態で、蓋体３３の内面３３ｆと、ヨーク端面２１ｍと、プランジャ端面１３ｃとで囲まれる領域から、突起部２１ｋ及び突出部３３ｅを除いた領域である。このため、突起部２１ｋ及び突出部３３ｅがソレノイド装置１に存在する場合でも、第２空間部３６を確保することができる。
【００７１】
（１１）また、蓋体３３は、非磁性材料製である。このため、プランジャ１３からヨーク２１を通ってコイル２９に戻る磁力線が蓋体３３を通る虞はない。このため、磁気回路の分散を抑制することができる．
【００７２】
以上、本発明の好ましい実施形態について説明したが、本発明は、これらの実施形態に限定されず、その要旨の範囲内で種々の変形および変更が可能である。これらの実施形態及びその変形は、発明の範囲及び要旨に含まれると同時に、特許請求の範囲に記載された発名とその均等の範囲に含まれる。
【００７３】
例えば、前述した実施形態では、ヨーク２１の第１フランジ部２１ｂに設けられた孔部２１ｊは、中心軸Ｊを中央にして対向する位置に２つ設けられている。この孔部２１ｊを、第１フランジ部２１ｂに周方向に間隔を有して３つ以上設けてもよい。これに伴い、３つ以上設けられた孔部２１ｊの夫々の径方向内側のヨーク端面２１ｍに突起部２１ｋを設けてもよい。
【符号の説明】
【００７４】
１  ソレノイド装置
１１  軸部
１３  プランジャ
１３ａ  第２貫通孔
１３ｃ  プランジャ端面
１３ｄ  第４開口部
１３ｅ  第３開口部
１７  コア
１７ａ  第２円筒部
１７ｄ  第１空間部
２１  ヨーク
２１ａ  第１円筒部
２１ｂ  第１フランジ部
２１ｄ１  第１の軸方向他方側端面
２１ｄ２  第１の軸方向一方側端面
２１ｊ  孔部
２１ｊ１  第６開口部
２１ｊ２  第５開口部
２１ｋ  突起部
２１ｍ  ヨーク端面
２５  ボビン
２５ｃ  端面
２９  コイル
３０  ハウジング
３１  ハウジング本体部
３１ａ  第１開口部
３１ｃ  第１内壁部
３１ｅ  第１段部
３３  蓋体
３３ａ  蓋体本体部
３３ｂ  傾斜部
３３ｃ  周縁部
３３ｄ１  面
３３ｅ  突出部
３３ｆ  内面
Ｐｂ  退避位置
【図１】
2020004848.tif 000003
【図２】
2020004848.tif 000004
【図３】
2020004848.tif 000005
【図４】
2020004848.tif 000006